(57)【要約】【課題】ユーザが効果的に住宅の防犯を学習できる住宅防犯学習装置を提供すること。【解決手段】住宅防犯学習装置１００は、上記住宅模型１１を撮像するカメラ６０と、上記カメラ６０が撮像した現在画像を表示する大型ディスプレイ１６と、画像判別パターン及び防犯画像を記憶する記憶部６２と、防犯画像の再生指示を受け付けるタッチパネル６１と、上記大型ディスプレイ１６の表示を制御する制御部６３と、を具備しており、上記制御部６３は、上記タッチパネル６１が再生指示を受け付けたことに応じて、上記現在画像が上記画像判別パターンに合致するかを判別し、当該現在画像が上記画像判別パターンに合致すると判定したことに応じて、当該現在画像に上記防犯画像を重複して上記大型ディスプレイ１６に表示する。【選択図】図１
2018106037.tif 000002
【特許請求の範囲】
【請求項１】
基台と、
少なくとも前面部及び上面部を有しており、上記基台に載置された住宅模型と、
上記基台に設けられ、上記住宅模型の前方において左右方向へ延びるレールと、
上記レールに沿って上記左右方向へ移動可能なスライダと、
上記スライダに搭載されており、上記住宅模型の上記前面部を撮像するカメラと、
上記カメラが撮像した現在画像を表示するディスプレイと、
画像判別パターン及び防犯画像を記憶する記憶部と、
上記防犯画像の再生指示を受け付ける受付部と、
上記ディスプレイの表示を制御する制御部と、を具備しており、
上記制御部は、
上記受付部が再生指示を受け付けたことに応じて、上記現在画像が上記画像判別パターンに合致するかを判別し、当該現在画像が上記画像判別パターンに合致すると判定したことに応じて、当該現在画像に上記防犯画像を重複して上記ディスプレイに表示する住宅防犯学習装置。
【請求項２】
上記防犯画像は、泥棒を示す泥棒画像と、泥棒の考えを示す泥棒文字情報と、を含む請求項１に記載の住宅防犯学習装置。
【請求項３】
上記防犯画像は、警官を示す警官画像と、警官の防犯アドバイスを示す警官文字情報と、を更に含み、
上記制御部は、上記泥棒画像及び上記泥棒文字情報を表示した後、当該泥棒画像及び当該泥棒文字情報に代えて、上記警官画像及び上記警官文字情報を表示する請求項２に記載の住宅防犯学習装置。
【請求項４】
上記住宅模型は、落書き、塀、２階バルコニー、窓、面格子、植栽、表札、ポスト、及び洗濯物からなる判別群のうち少なくとも１つを有しており、
上記画像判別パターンは、上記判別群に含まれる少なくとも１つを含む上記現在画像と合致するものである請求項１から３のいずれかに記載の住宅防犯学習装置。
【請求項５】
上記住宅模型に載置された泥棒を示す人形を更に具備する請求項１から４のいずれかに記載の住宅防犯学習装置。
【請求項６】
上記人形は、上記住宅模型の前方から視認できず、且つ上記住宅模型の上方から視認可能に配置されている請求項５に記載の住宅防犯学習装置。
【請求項７】
上記ディスプレイは、上記住宅模型の上方に配置された第１ディスプレイと、上記スライダに搭載された第２ディスプレイと、を有する請求項１から６のいずれかに記載の住宅防犯学習装置。
【請求項８】
上記第２ディスプレイは、タッチパネルであり、上記受付部は当該タッチパネルにより構成されている請求項７に記載の住宅防犯学習装置。
【請求項９】
上記記憶部は、複数種の上記画像判別パターンと、上記各画像判別パターンに対応した複数種の上記防犯画像を記憶しており、
上記制御部は、上記現在画像がいずれの上記画像判別パターンに合致するか判別し、合致した上記画像判別パターンに対応する上記防犯画像を、当該現在画像に重複させて上記ディスプレイに表示する請求項１から８のいずれかに記載の住宅防犯学習装置。
【請求項１０】
上記制御部は、上記現在画像が上記画像判別パターンのいずれにも合致しないことに応じて、上記防犯画像を上記ディスプレイに表示しない請求項９に記載の住宅防犯学習装置。
【請求項１１】
上記画像判別パターンに合致する上記現在画像を上記カメラが撮像するときの上記スライダの位置を示す目印が、上記レールに沿って上記基台に設けられている請求項１から１０のいずれかに記載の住宅防犯学習装置。
【請求項１２】
上記スライダに設けられて上下方向に移動可能な移動体と、
上記レールに沿って設けられており、上記移動体と接触して上記移動体を上方に移動させる凸部材と、を更に具備しており、
上記凸部材は、上記画像判別パターンに合致する上記現在画像を上記カメラが撮像するときの上記スライダの位置において、上記移動体を上方へ移動させるように配置されている請求項１から１１のいずれかに記載の住宅防犯学習装置。
【発明の詳細な説明】
【技術分野】
【０００１】
本発明は、住宅の防犯を学習するための装置に関する。
【背景技術】
【０００２】
従来、泥棒による家屋侵入を困難にする工夫と、泥棒に狙われ難くする工夫とが施された住宅建物の構造とを体験するための体験装置として、特許文献１に開示された防犯住宅体験装置が知られている。この防犯住宅体験装置は、住宅展示棟内に設けられて一室を構成するようになされている。この防犯住宅体験装置では、視線部分にモニターカメラを有する泥棒を模した人形の模型が走行可能となされ、上記モニターカメラの映像を映すモニターが設けられ、模型の動きに連動した解説が行われるようになされている。
【先行技術文献】
【特許文献】
【０００３】
【特許文献１】特開２０１０−１３９９６１号公報
【発明の概要】
【発明が解決しようとする課題】
【０００４】
上記防犯住宅体験装置は、住宅展示棟内に設けられたものであり、住宅の一部を再現する実物大模型である。ところが、住宅において、防犯についての学習を要する部分の全体を再現しようとすると、製造コスト及び設置スペースの増大を招いてしまうため、困難である。また、住宅の模型が実物大であるため、ユーザは、住宅の全体像を捉えることができず、防犯上の弱点が住宅のどこにあるかを把握しにくい場合がある。
【０００５】
本発明は、前述された事情に鑑みてなされたものであり、その目的は、ユーザが効果的に住宅の防犯を学習できる住宅防犯学習装置を提供することである。
【課題を解決するための手段】
【０００６】
(1)  本発明に係る住宅防犯学習装置は、基台と、少なくとも前面部及び上面部を有しており、上記基台に載置された住宅模型と、上記基台に設けられ、上記住宅模型の前方において左右方向へ延びるレールと、上記レールに沿って上記左右方向へ移動可能なスライダと、上記スライダに搭載されており、上記住宅模型の上記前面部を撮像するカメラと、上記カメラが撮像した現在画像を表示するディスプレイと、画像判別パターン及び防犯画像を記憶する記憶部と、上記防犯画像の再生指示を受け付ける受付部と、上記ディスプレイの表示を制御する制御部と、を具備しており、上記制御部は、上記受付部が再生指示を受け付けたことに応じて、上記現在画像が上記画像判別パターンに合致するかを判別し、当該現在画像が上記画像判別パターンに合致すると判定したことに応じて、当該現在画像に上記防犯画像を重複して上記ディスプレイに表示する。
【０００７】
ユーザは住宅模型の前面部及び上面部を視認することができる。他方、カメラが水平方向に移動しながら住宅模型の前面部を撮像し、カメラにより撮像された現在画像がディスプレイに表示される。ディスプレイを見るユーザは、空から住宅模型の上面部を見下ろす所謂鳥の目線から住宅模型を視認するのではなく、地面から住宅模型の前面部を見る所謂泥棒の目線のみから住宅模型を見ることとなる。これにより、ユーザに泥棒の目線から住宅を見て泥棒の考えを想像することができる。
【０００８】
受付部が再生指示を受け付け且つ現在画像が画像判別パターンに合致すると、ディスプレイに表示されている現在画像に対して防犯画像が重ねて表示される。これにより、ユーザは、自身が想像した泥棒の考えを考慮しつつ、防犯に関する情報を学習することになる。したがって、ユーザは、鳥の目線及び泥棒の目線の双方を対比しながら効果的に住宅の防犯を学習できる。
【０００９】
(2)  好ましくは、上記防犯画像は、泥棒を示す泥棒画像と、泥棒の考えを示す泥棒文字情報と、を含む。
【００１０】
上記構成によれば、泥棒画像及び泥棒文字情報が表示されるので、ユーザは、画像判別パターンに合致する現在画像に示される住宅の部分について、泥棒の考えを把握できる。
【００１１】
(3)  好ましくは、上記防犯画像は、警官を示す警官画像と、警官の防犯アドバイスを示す警官文字情報と、を更に含み、上記制御部は、上記泥棒画像及び上記泥棒文字情報を表示した後、当該泥棒画像及び当該泥棒文字情報に代えて、上記警官画像及び上記警官文字情報を表示する。
【００１２】
上記構成によれば、泥棒画像及び泥棒文字情報が表示された後に警官画像及び防犯アドバイスが表示されるので、ユーザは、画像判別パターンに合致する現在画像に示される住宅の部分について、泥棒の考えと防犯アドバイスとを対比して学習できる。
【００１３】
(4)  好ましくは、上記住宅模型は、落書き、塀、２階バルコニー、窓、面格子、植栽、表札、ポスト、及び洗濯物からなる判別群のうち少なくとも１つを有しており、上記画像判別パターンは、上記判別群に含まれる少なくとも１つを含む上記現在画像と合致するものである。
【００１４】
(5)  好ましくは、上記住宅模型に載置された泥棒を示す人形を更に具備する。
【００１５】
(6)  好ましくは、上記人形は、上記住宅模型の前方から視認できず、且つ上記住宅模型の上方から視認可能に配置されている。
【００１６】
上記構成によれば、現在画像には泥棒の人形が表示されない。ユーザは、泥棒が見えない現在画像からの視点と、泥棒が潜む住宅模型を上方から直接視る視点とを、対比させて把握できる。
【００１７】
(7)  好ましくは、上記ディスプレイは、上記住宅模型の上方に配置された第１ディスプレイと、上記スライダに搭載された第２ディスプレイと、を有する。
【００１８】
上記構成によれば、住宅模型の上方に配置された第１ディスプレイにおいて、現在画像及び防犯画像が表示される。そのため、住宅模型を見下ろすユーザは、目線の高さを変更すること無く、第１ディスプレイに表示された現在画像及び防犯画像を見ることができる。また、スライダに搭載された第２ディスプレイにも、現在画像及び防犯画像が表示される。そのため、スライダを操作するユーザも、目線の高さを変更すること無く、第２ディスプレイに表示された現在画像及び防犯画像を見ることができる。これにより、身長の異なる複数人のユーザが、それぞれの目線の高さで防犯を学習することができる。
【００１９】
(8)  好ましくは、上記第２ディスプレイは、タッチパネルであり、上記受付部は当該タッチパネルにより構成されている。
【００２０】
(9)  好ましくは、複数種の上記画像判別パターンと、上記各画像判別パターンに対応した複数種の上記防犯画像を記憶しており、上記制御部は、上記現在画像がいずれの上記画像判別パターンに合致するか判別し、合致した上記画像判別パターンに対応する上記防犯画像を、当該現在画像に重複させて上記ディスプレイに表示する。
【００２１】
上記構成によれば、複数種の画像判別パターン及び複数種の防犯画像が記憶されているので、画像判別パターンに合致する現在画像に示される住宅の部分が複数存在している。そのため、ユーザは、住宅の複数の部分について、防犯に関する情報を学習できる。
【００２２】
(10)  好ましくは、上記制御部は、上記現在画像が上記画像判別パターンのいずれにも合致しないことに応じて、上記防犯画像を上記ディスプレイに表示しない。
【００２３】
(11)  好ましくは、上記画像判別パターンに合致する上記現在画像を上記カメラが撮像するときの上記スライダの位置を示す目印が、上記レールに沿って上記基台に設けられている。
【００２４】
上記構成によれば、画像判別パターンに合致する現在画像をカメラが撮像するときのスライダの位置を示す目印が設けられているので、ユーザは、防犯画像の表示が開始可能なスライダの位置を把握できる。
【００２５】
(12)  好ましくは、上記スライダに設けられて上下方向に移動可能な移動体と、上記レールに沿って設けられており、上記移動体と接触して上記移動体を上方に移動させる凸部材と、を更に具備しており、上記凸部材は、上記画像判別パターンに合致する上記現在画像を上記カメラが撮像するときの上記スライダの位置において、上記移動体を上方へ移動させるように配置されている。
【００２６】
上記構成によれば、移動体は、スライダの水平方向の移動に連動して上下方向に移動し、画像判別パターンに合致する現在画像をカメラが撮像するときのスライダの位置において、上方に移動する。そのため、ユーザは、移動体の上方への移動を見ることで、防犯画像が表示されるときのスライダの位置を把握できる。
【発明の効果】
【００２７】
本発明に係る住宅防犯学習装置によれば、ユーザが効果的に住宅の防犯を学習できる。
【図面の簡単な説明】
【００２８】
【図１】図１は、本発明の実施形態に係る住宅防犯学習装置１００の斜視図である。
【図２】図２は、本発明の実施形態に係る基台１０の部分分解斜視図である。
【図３】図３は、本発明の実施形態に係る基台１０の上部の斜視図である。
【図４】図４は、本発明の実施形態に係る住宅模型１１の斜視図である。
【図５】図５は、本発明の実施形態に係る制御機構２００のブロック図である。
【図６】図６は、本発明の実施形態に係る防犯画像の再生処理フローを示す図である。
【図７】図７は、本発明の実施形態に係る重複表示処理のフローを示す図である。
【図８】図８は、本発明の実施形態に係る住宅模型１１の全体画像７０、４つの現在画像８０Ａ、８０Ｂ、８０Ｃ、８０Ｄ、及び３つの防犯画像９０Ａ、９０Ｂ、９０Ｃの例を示す図である。
【図９】図９は、本発明の実施形態に係る、落書き及び高い塀に関する防犯画像が現在画像に重複された合成画像を示す図である。
【図１０】図１０は、本発明の実施形態に係る、落書き及び高い塀に関する防犯画像が現在画像に重複された合成画像を示す図である。
【図１１】図１１は、本発明の実施形態に係る、長期留守宅侵入に関する防犯画像が現在画像に重複された合成画像を示す図である。
【図１２】図１２は、本発明の実施形態に係る、長期留守宅侵入に関する防犯画像が現在画像に重複された合成画像を示す図である。
【図１３】図１３は、本発明の実施形態に係る、物色に関する防犯画像が現在画像に重複された合成画像を示す図である。
【図１４】図１４は、本発明の実施形態に係る、外出確認に関する防犯画像が現在画像に重複された合成画像を示す図である。
【発明を実施するための形態】
【００２９】
以下、本発明の好ましい実施形態が説明される。なお、本実施形態は、本発明の一実施態様にすぎず、本発明の要旨を変更しない範囲で実施態様が変更できることは言うまでもない。
【００３０】
［本実施形態に係る住宅防犯学習装置１００］
図１に示されるように、本実施形態に係る住宅防犯学習装置（以下、学習装置）１００は、基台１０と、住宅模型１１と、アクリルケース１２と、タブレット１３と、レバー１４と、移動体１５と、大型ディスプレイ１６と、を備えている。図２、図３に示されるように、学習装置１００は、基台１０内に、レール１７と、スライダ１８と、凸部材１９、１１９と、を備えている。学習装置１００は、住宅模型１１及び大型ディスプレイ１６において再生される防犯用の動画を用いて、ユーザが防犯についての学習を可能とする装置である。
【００３１】
学習装置１００に関する方向、すなわち上下方向７、前後方向８及び左右方向９は、基台１０が水平面に設置された姿勢を基準として、定義されている。前後方向８及び左右方向９は、特に区別されない場合、水平方向と称される。
【００３２】
図１に示されるように、基台１０の形状は、概ね直方体形状である。基台１０は、上板２０、第１前板２１、第２前板２２、第３前板２３、スリットカバー２４、中板２５（図２、図３）、２つの側板２６、及び位置表示板２７を備えている。上板２０は、水平方向に拡がる平板である。第１前板２１は、上下方向７及び左右方向９に拡がる平板であり、上板２０の前端から下方に伸びている。第２前板２２は、上下方向７及び左右方向９に拡がる平板であり、第１前板２１の前側に配置されている。第３前板２３は、上下方向７及び左右方向９に拡がる平板であり、第２前板２２の上側に配置されている。第３前板２３には、レバー１４を通過させる左右方向９のスリット２８が形成されている。スリットカバー２４は、上下方向７から視て直角Ｕ字形状を有する板材である。図１に示されるように、スリットカバー２４は、第３前板２３と協働して上方に開口するスリット２９を形成する。スリット２９は左右方向９に延びている。側板２６は、上下方向７及び前後方向８に拡がる平板である。２つの側板２６はそれぞれ、上板２０、第１前板２１、第２前板２２、及び中板２５の左右端部に固定されている。
【００３３】
図２、図３には、基台１０から第３前板２３及びスリットカバー２４が取り外された状態が示されている。図２、図３に示されるように、中板２５は、上下方向７及び左右方向９に拡がる平板である。中板２５の前端部は第２前板２２の上端部に固定されており、中板２５の後端部は第１前板２１に固定されており、中板２５の左右両端部は、２つの側板２６にそれぞれ固定されている。
【００３４】
位置表示板２７は、左右方向９に長手の薄板である。位置表示板２７は、第３前板２３の上面に固定されている。位置表示板２７には、レール１７に沿ってトリガ位置を示す４つの目印５９が設けられている。トリガ位置は、詳しくは後述されるが、大型ディスプレイ１６に防犯画像を表示させる際にスライダ１８を停止させる位置である。目印５９は、前後方向８に伸びる直線状のマークである。目印５９は、例えば、印刷又はシールである。
【００３５】
図１に示されるように、住宅模型１１は、基台１０の上板２０に載置されている。図４に示されるように、住宅模型１１は、第１模型３０及び第２模型４０を有している。第１模型３０及び第２模型４０は、それぞれ二階建て住宅を模している。第１模型３０は左側に位置し、第２模型４０は、右側に位置している。第１模型３０は、住宅の構成物を模した部分として、塀部３１、窓部３２、ドア部３３、ポスト部３４、バルコニー部３５を有している。第２模型４０は、住宅の構成物を模した部分として、植栽部４１、面格子部４２、表札部４３、ドア部４４、小窓部４５、窓部４６、バルコニー部４７、及び洗濯物部４８を有している。これらの住宅の構成物を模した部分は、第１模型３０及び第２模型４０において、前方に面した前面部及び上方に面した上面部に露出している。つまり、第１模型３０及び第２模型４０において、前面部及び上面部が少なくとも実際の住宅を模している。
【００３６】
住宅模型１１には、３つの泥棒人形３９が載置されている。３つの泥棒人形３９は、それぞれ、塀部３１の後方、バルコニー部３５の後方、植栽部４１の後方に配置されている。各泥棒人形３９は、住宅模型１１の上方から視認可能に配置されているが、住宅模型１１の前方からは視認不能に配置されている。つまり、３つの泥棒人形３９は、泥棒が住宅敷地内に潜んでいる状態を示している。
【００３７】
図１に示されるように、アクリルケース１２は、住宅模型１１を収納するケースであり、基台１０上に載置されている。アクリルケース１２は、透光性材料からなっている。そのため、ユーザは、アクリルケース１２の外側から、住宅模型１１を視認することが可能である。アクリルケース１２は、例えばユーザが住宅模型１１に直接に接触することを防止するために設けられている。
【００３８】
図１に示されるように、大型ディスプレイ１６は、住宅模型１１を収納したアクリルケース１２の上方に配置されている。
【００３９】
図２、図３に示されるように、レール１７は、中板２５上に配置されている。したがって、レール１７は、住宅模型１１の前方かつ下方に位置している。レール１７は、左右方向９に延びるＣ形材である。
【００４０】
図２、図３に示されるように、スライダ１８は、本体部５０と、支柱５１と、支持板５２と、ガイド部材６４と、を備えている。本体部５０は、左右方向９に長手の直方体形状を有しており、レール１７の内部に配置されている。本体部５０がレール１７によって左右方向９に移動可能に案内されているので、スライダ１８はレール１７に沿って左右方向９へ移動可能である。支柱５１は、上下方向７に延びる長手部材である。支柱５１は本体部５０に固定されている。支持板５２は、左右方向９に延びる長手部材である。支持板５２は、支柱５１の中途部に固定されている。ガイド部材６４は、移動体１５を上下方向７に移動可能に案内する部材であり、支持板５２の先端部に固定されている。ガイド部材６４は、Ｃ字状の板材６５と、板材６５内に配置されて移動体１５の前後方向８における移動を規制する当て部材６６と、を備えている。
【００４１】
図２、図３に示されるように、レバー１４は、支柱５１に固定されている。レバー１４は、前後方向８に延びており、第３前板２３のスリット２８から前方に突出している（図１）。レバー１４は、スライダ１８をレール１７に沿って左右方向９へ移動させるための操作部材である。ユーザは、レバー１４を把持してスライダ１８の位置を操作する。
【００４２】
図２、図３に示されるように、移動体１５は、上下方向７に長手の板本体５６と、板本体５６の下端部に設けられたローラ５７と、を備えている。板本体５６には、上下方向７と平行な上下溝５６ａと、ローラ孔５６ｂと、が形成されている。上下溝５６ａにはガイドピン５３が挿通されており、ガイドピン５３はガイド部材６４の板材６５にナット６７により固定されている。移動体１５は、上下溝５６ａの上下方向７における長さの範囲内で、スライダ１８に対して上下方向７に移動可能である。ローラ孔５６ｂ及びローラ５７にはピン６８が挿通されており、ピン６８はナット６９により固定されている。ローラ５７は、ピン６８の軸周りに、すなわち前後方向８の軸周りに回転可能である。
【００４３】
板本体５６の前面には、泥棒を模した泥棒マーク５８が設けられている。泥棒マーク５８は、例えば、印刷又はシールである。
【００４４】
図２、図３に示されるように、凸部材１９、１１９は、上下方向７及び左右方向９に拡がる板材である。凸部材１９、１１９は、前後方向８から視て山形形状である。凹面５４は、下方に凹んでいる面であり、傾斜面５５は下方に傾斜している面である。凹面５４の左右方向９の両端のそれぞれに傾斜面５５が接続されている。凸部材１９、１１９は、上方に面する凹面５４及び傾斜面５５を有している。凸部材１９は１つの山を有し、つまり１つの凹面５４及び２つの傾斜面５５を有している。凸部材１１９は２つの山を有し、つまり２つの凹面５４及び４つの傾斜面５５を有している。
【００４５】
２つの凸部材１９及び１つの凸部材１１９が、レール１７に沿って設けられている。凹面５４及び傾斜面５５には、移動体１５のローラ５７が当接可能である。スライダ１８の左右方向９における移動に伴って、ローラ５７が傾斜面５５に当接すると、移動体１５は上方に移動する。ローラ５７が凹面５４に当接しているとき、移動体１５は最も上方に位置する。スライダ１８の移動に伴ってローラ５７が凹面５４から傾斜面５５に移動すると、ローラ５７は下方に移動する。スライダ１８の移動に伴ってローラ５７が凸部材１９、１１９から離間すると、移動体１５は最も下方に移動する。このようにして、スライダ１８の移動に伴う凸部材１９、１１９とローラ５７との当接及び離間により、移動体１５が上下方向７に移動する。
【００４６】
凹面５４の中央部は、トリガ位置を示す目印５９と対応する位置に配置されている。スライダ１８の移動に伴ってローラ５７が凹面５４に落ち込むので、凹面５４からローラ５７を移動させる際に、傾斜面５５に沿ってローラ５７を移動させる際に要する力よりも大きな力が必要となる。つまり、凹面５４は、スライダ１８の移動に抵抗を与える手段として設けられている。この凹面５４の存在により、ユーザは、目印５９を視認しなくても、レバー１４を移動させるのに要する力の変化により、スライダ１８がトリガ位置に位置しているか否かを知覚できる。
【００４７】
図５、図６を参照して、学習装置１００の制御機構２００が説明される。図５に示されるように、制御機構２００は、タブレット１３及び大型ディスプレイ１６を含んでいる。大型ディスプレイ１６は、ディスプレイ又は第１ディスプレイの一例である。
【００４８】
タブレット１３は、カメラ６０、タッチパネル６１、記憶部６２、及び制御部６３を備えている。
【００４９】
タブレット１３がスライダ１８に固定された姿勢において、カメラ６０は、住宅模型１１の前面部に面している。カメラ６０は、住宅模型１１の前面部を撮像可能である。カメラ６０によって撮像された画像である現在画像は、大型ディスプレイ１６に表示される。
【００５０】
タッチパネル６１は、画像の表示手段及びタッチ入力による入力手段として機能する装置である。タッチパネル６１は、ディスプレイ又は第１ディスプレイの一例であり、且つ、防犯学習用の防犯画像の再生指示を受け付ける受付部の一例である。ユーザは、タッチパネル６１のタッチ操作により、防犯画像の再生指示を制御部６３に入力可能である。また、タッチパネル６１にも、カメラ６０からの現在画像が表示される。
【００５１】
記憶部６２は、複数種の画像判別パターン及び複数種の防犯画像を記憶するメモリである。本実施形態では、４種の画像判別パターン及び４種の防犯画像群が記憶部６２に記憶されている。各防犯画像群は、少なくとも１つの防犯画像を含んでいる。
【００５２】
防犯画像は、防犯学習用の情報を含む画像である。防犯学習用の情報は、例えば、泥棒の視点から見た防犯上の弱点及び警官の視点から見た防犯対策などの情報を含んでいる。防犯画像は、スライダ１８の位置がトリガ位置にあるときのカメラ６０によって撮像される住宅模型１１の現在画像に対応して、作成されている。つまり、防犯画像は、トリガ位置における現在画像によって示される住宅の部分毎に、作成されている。本実施形態では、複数の防犯画像からなる防犯画像群が１つのトリガ位置に対応して設けられている。１つのトリガ位置に対応する防犯画像群は、同一種の防犯画像である。
【００５３】
画像判別パターンは、スライダ１８の位置が、目印５９で示されるトリガ位置にあるか否かを、制御部６３に判定させるための情報である。トリガ位置毎に、一種の画像判別パターンが設けられている。記憶部６２に記憶された４種の画像判別パターンは、第１画像判別パターン、第２画像判別パターン、第３画像判別パターン、及び第４画像判別パターンからなる。第１から第４画像判別パターンが区別されない場合、第１から第４画像判別パターンは、画像判別パターンとの表現により総称される。４種の防犯画像群は、第１防犯画像群、第２防犯画像群、第３防犯画像群、及び第４防犯画像群からなる。以下、第１から第４防犯画像群が区別されない場合、第１から第４防犯画像群は、防犯画像群との表現により総称される。一種の画像判別パターン、すなわち第１から第４画像判別パターンのそれぞれは、一種の防犯画像群、すなわち第１から第４防犯画像群のそれぞれに対応して設けられている。
【００５４】
具体的には、制御部６３の処理において、カメラ６０によって撮像されている現在画像が、いずれかのトリガ位置に対応して設定された画像判別パターンに合致する場合に、このトリガ位置に対応する防犯画像が、現在画像に重複されてタッチパネル６１及び大型ディスプレイ１６に表示される。防犯上注目すべきである住宅模型１１の特徴的な部分が、画像判別パターンのための判別群として設定されている。この判別群は、第１模型３０についての塀部３１、窓部３２、ドア部３３、ポスト部３４、及びバルコニー部３５と、第２模型４０についての植栽部４１、面格子部４２、表札部４３、ドア部４４、小窓部４５、窓部４６、バルコニー部４７、及び洗濯物部４８と、からなっている。判別群は、第１模型３０又は第２模型４０の外壁を含んでもよい。画像判別パターンは、上記判別群に含まれる少なくとも１つを含む上記現在画像と合致するものである。
【００５５】
制御部６３は、入力手段としてのタッチパネル６１からの入力に基づいて、出力手段としてのタッチパネル６１及び大型ディスプレイ１６の表示を制御する。
【００５６】
図６、図７を参照して、制御部６３による防犯画像の再生処理フローが説明される。タブレット１３の電源投入により、制御部６３は、再生処理フローを開始する（ステップＳ１）。再生処理フローが開始されると、制御部６３は、カメラ６０によって撮像された現在画像を、タッチパネル６１及び大型ディスプレイ１６に表示する（ステップＳ２）。次に、制御部６３は、タッチパネル６１から再生指示が入力されたか否かを判定する（ステップＳ３）。再生処理が入力されたと制御部６３が判定した場合（ステップＳ３：Ｙｅｓ）、制御部６３は、現在画像が第１画像判別パターンに合致するか否かを判定する（ステップＳ４）。再生処理が入力されなかったと制御部６３が判定した場合（ステップＳ３：Ｎｏ）、制御部６３は、処理をステップＳ２に戻す。
【００５７】
ステップＳ４からＳ７では、現在画像がいずれかの画像判別パターンに合致するか否かを制御部６３は判定する。制御部６３は、現在画像が第１画像判別パターンに合致すると判定した場合（ステップＳ４：Ｙｅｓ）、現在画像に、第１画像判別パターンに対応する第１防犯画像群に含まれる防犯画像を重複させて、タッチパネル６１及び大型ディスプレイ１６に表示する（ステップＳ８）。制御部６３は、現在画像が第１画像判別パターンに合致していないと判定した場合（ステップＳ４：Ｎｏ）、現在画像が第２画像判別パターンに合致するか否かを判定する（ステップＳ５）。制御部６３は、現在画像が第２画像判別パターンに合致すると判定した場合（ステップＳ５：Ｙｅｓ）、現在画像に、第２画像判別パターンに対応する第２防犯画像群に含まれる防犯画像を重複させて、タッチパネル６１及び大型ディスプレイ１６に表示する（ステップＳ９）。制御部６３は、現在画像が第２画像判別パターンに合致していないと判定した場合（ステップＳ５：Ｎｏ）、現在画像が第３画像判別パターンに合致するか否かを判定する（ステップＳ６）。制御部６３は、現在画像が第３画像判別パターンに合致すると判定した場合（ステップＳ６：Ｙｅｓ）、現在画像に、第３画像判別パターンに対応する第３防犯画像群に含まれる防犯画像を重複させて、タッチパネル６１及び大型ディスプレイ１６に表示する（ステップＳ１０）。制御部６３は、現在画像が第３画像判別パターンに合致していないと判定した場合（ステップＳ６：Ｎｏ）、現在画像が第４画像判別パターンに合致するか否かを判定する（ステップＳ７）。制御部６３は、現在画像が第４画像判別パターンに合致すると判定した場合（ステップＳ７：Ｙｅｓ）、現在画像に、第４画像判別パターンに対応する第４防犯画像群に含まれる防犯画像を重複させて、タッチパネル６１及び大型ディスプレイ１６に表示する（ステップＳ１１）。制御部６３は、現在画像が第４画像判別パターンに合致しないと判定した場合（ステップＳ７：Ｎｏ）、処理をステップＳ２に戻す。
【００５８】
ステップＳ４からＳ７における現在画像が画像判別パターンに合致するか否かの判定は、以下のようにして実行される。ここで、画像判別パターンは、カメラ６０又は他のカメラによって撮像された住宅模型１１の画像に公知の画像認識技術を適用して予め作成されたデジタルデータであり、記憶部６２に記憶されている。公知の画像認識技術により、例えば、画像を構成する各画素の輝度値が、輝度しきい値により２値化されて、白黒２値のデジタルデータが作成される。一方、制御部６３は、再生指示が入力された場合に（ステップＳ３：Ｙｅｓ）、現在画像に対して上述の画像認識技術を適用して、現在画像からデジタルデータである現在画像パターンを作成する。制御部６３は、現在画像パターン及び画像判別パターンの整合率が所定率（例えば、９０％）を超える場合に、現在画像が画像判別パターンに合致すると判定する。ここで、現在画像パターン及び画像判別パターンの整合率は、例えば、現在画像パターンの各画素の輝度値と、画像判別パターンの各画素の輝度値とが一致する割合である。なお、上述した画像判別パターンは、公知の画像認識技術を利用して作成されるパターンの一例であり、本発明に係る画像判別パターンは、上述の画像判別パターンに限定されない。
【００５９】
図７を参照して、ステップＳ８からＳ１１に係る重複表示処理が、より詳しく説明される。ステップＳ８からＳ１１はいずれも、画像判別パターンに対応する防犯画像群を順次現在画像に重複させて表示させるサブルーチンである。ここで、各防犯画像群は、Ｍ個の防犯画像を含んでいる。制御部６３が重複表示処理を開始する（ステップＳ２０）と、制御部６３は、変数ｎに０を代入する（ステップＳ２１）。変数ｎは、防犯画像群に含まれる各防犯画像に指定された表示の順番を示している。次に、制御部６３は、変数ｎにｎ＋１を代入する（ステップＳ２２）。つまり、変数ｎが１だけ増加させられる。次に、制御部６３は、現在画像に、防犯画像群に含まれるｎ番目の防犯画像を重複させて、タッチパネル６１及び大型ディスプレイ１６に表示する（ステップＳ２３）。次に、制御部６３は、防犯画像群に含まれる最後の防犯画像が表示されたか否かを判定する（ステップＳ２４）。最後の防犯画像は、Ｍ番目の防犯画像である。つまり、ステップＳ２４では、制御部６３は、ｎ＝Ｍであるか否かを判定する。制御部６３が最後の防犯画像を表示した場合（ステップＳ２４：Ｙｅｓ）、重複表示処理が終了して、処理がメインルーチンのステップＳ２に復帰する（ステップＳ２５）。制御部６３が最後の防犯画像を表示しなかった場合（ステップＳ２４：Ｎｏ）、制御部６３は、処理をステップＳ２２に戻す。この重複表示処理により、防犯画像群に含まれる防犯画像の全てが、順次、現在画像に重複されて表示される。なお、防犯画像毎に、表示時間が設定されており、各防犯画像は自らの表示時間の間だけ表示される。
【００６０】
［学習装置１００の使用例］
図８から図１４を参照して、学習装置１００の使用例が説明される。
【００６１】
図８には、住宅模型１１の全体画像７０、４つの現在画像８０Ａ、８０Ｂ、８０Ｃ、８０Ｄ、及び３つの防犯画像９０Ａ、９０Ｂ、９０Ｃの例が、示されている。住宅模型１１の全体画像７０は、住宅模型１１の前面部の全体が撮像された場合に得られる画像である。
【００６２】
４つの現在画像８０Ａ、８０Ｂ、８０Ｃ、８０Ｄは、それぞれ、トリガ位置を示す４つの目印５９にスライダ１８が位置するときにカメラ６０によって撮像された画像である。
【００６３】
３つの防犯画像９０Ａ、９０Ｂ、９０Ｃは、それぞれ、基本的な防犯画像を示している。
【００６４】
防犯画像９０Ａは、同一種の防犯画像群に含まれる１番目の防犯画像である。つまりスライダ１８がトリガ位置に到達した状態で同一種の防犯画像群の表示が開始される際に、防犯画像９０Ａが最初に表示される。防犯画像９０Ａは、泥棒を示す泥棒画像９１と、注意点を示す注意情報画像９２と、を含んでいる。防犯画像９０Ａでは、注意情報画像９２は、トリガ位置への到達を示すビックリマークの画像となっている。
【００６５】
防犯画像９０Ｂは、同一種の防犯画像群において泥棒の考えを示す防犯画像である。防犯画像９０Ｂは、泥棒画像９１と、注意情報画像９２と、泥棒の考えを示す泥棒文字情報画像９３と、を含んでいる。防犯画像９０Ｂでは、注意情報画像９２は、住宅に書かれた落書きを示す画像となっている。例示としての防犯画像９０Ｂでは、泥棒文字情報画像９３は、文字表示位置を示す丸印の羅列によって構成されている。
【００６６】
防犯画像９０Ｃは、同一種の防犯画像群において警官の防犯アドバイスを示す防犯画像である。防犯画像９０Ｃは、警官を示す警官画像９４と、注意情報画像９２と、警官の防犯アドバイスを示す警官文字情報画像９５と、を含んでいる。防犯画像９０Ｃでは、注意情報画像９２は、住宅に書かれた落書きを示す画像となっている。例示としての防犯画像９０Ｃでは、警官文字情報画像９５は、文字表示位置を示す丸印の羅列によって構成されている。
【００６７】
同一種の防犯画像群が表示される際に、警官の防犯アドバイスに関する防犯画像９０Ｃは、泥棒の考えに関する防犯画像９０Ｂの表示の後に、表示される。つまり、泥棒の考えがユーザに示された後に、それに対する対応としての警察の考えがユーザに示される。このようにして、防犯に関する問題提起と回答（対策）とが順に示されるようになっている。
【００６８】
学習装置１００が使用される際、ユーザは、図１に示されるレバー１４を左右方向９に移動させることで、タブレット１３を左右方向９に移動させる。タブレット１３に固定されたスライダ１８の位置がトリガ位置にない場合、カメラ６０によって得られた現在画像が、タッチパネル６１及び大型ディスプレイ１６に表示されている（ステップＳ２）。タブレット１３に固定されたスライダ１８の位置がトリガ位置にある場合、現在画像に防犯画像が重複された合成画像が、タッチパネル６１及び大型ディスプレイ１６に表示可能である。図９から図１４の各図は、現在画像に防犯画像が重複された合成画像を示している。
【００６９】
レバー１４の初期位置は、図１に示されるスリット２８の左端部である。ユーザは、左端部に位置するレバー１４を右側に移動させることによって、現在画像の変化を確認しながら、スライダ１８を各トリガ位置に順番に到達させる。各トリガ位置では、ユーザは、トリガ位置に対応する防犯画像が現在画像に重複された合成画像を見ることができる。このようにして、レバー１４をスリット２８の右端部まで移動させる。なお、以上の基本操作は、レバー１４の操作の一例であり、ユーザは、途中で往復させるようにレバー１４を移動させ、同じ合成画像を繰り返し見ることも当然可能である。以下では、レバー１４をスリット２８の左端部から右端部まで移動させる基本操作に沿って、学習装置１００の動作の説明が行われている。
【００７０】
レバー１４がスリット２８の左端部から右側に操作されたとき、スライダ１８は、まず、図８に示される現在画像８０Ａが表示されるトリガ位置に到達する。第１画像判別パターンは、このトリガ位置に対応している。この状態において、ユーザによりタッチパネル６１を介して再生指示が入力されると（ステップＳ３：Ｙｅｓ）、制御部６３は、現在画像が第１画像判別パターンに合致したと判定する（ステップＳ４：Ｙｅｓ）。そのため、第１画像判別パターンに対応する第１防犯画像群に含まれる防犯画像が順次、現在画像に重複されて表示される（ステップＳ８）。具体的には、図９及び図１０に含まれる合成画像群が順番にタッチパネル６１及び大型ディスプレイ１６に表示される。つまり、図９（ａ）、図９（ｂ）、図９（ｃ）、図１０（ａ）、図１０（ｂ）、及び図１０（ｃ）が順番に表示される。ここで、図９は、落書きに関する防犯画像が現在画像に重複された合成画像群を示しており、図１０は、高い塀に関する防犯画像が現在画像に重複された合成画像群を示している。
【００７１】
図９及び図１０に示される合成画像には、図４に示される住宅模型１１に載置された泥棒人形３９の画像は表示されない。泥棒人形３９は、住宅模型１１の前方から見えない位置に配置されているため、現在画像に泥棒人形３９が写らないためである。タッチパネル６１及び大型ディスプレイ１６に表示された画像を見る目線、つまり泥棒を含む人間の目線では、住宅に潜む泥棒を視認できないことが再現されている。一方、住宅模型１１を直接見下ろすユーザは、住宅模型１１内に配置された泥棒人形３９を確認できる。このように、泥棒の目線と、住宅模型１１を直接見下ろす鳥の目線とを対比させて、ユーザは防犯に関する情報を学習できる。また、大人と比べて身長が低い子供が、レバー１４を操作し、大人が住宅模型１１を見下ろし且つ大型ディスプレイ１６を見ることができる。このように、家族全員が一緒に楽しみながら防犯学習をすることができる。
【００７２】
図９及び図１０に示される落書き及び高い塀に関する合成画像群の表示が終了すると、制御部６３は、防犯画像の表示を終了して現在画像のみをタッチパネル６１及び大型ディスプレイ１６に表示する（ステップＳ２）。また、ユーザによりタッチパネル６１を介して再生指示が再度入力されると（ステップＳ３：Ｙｅｓ）、制御部６３は、再度、図９及び図１０に含まれる合成画像群を表示する（ステップＳ４：Ｙｅｓ、ステップＳ８）。
【００７３】
さらにレバー１４が右側に操作されることにより、スライダ１８は、図８に示される現在画像８０Ｂが表示されるトリガ位置に到達する。第２画像判別パターンは、このトリガ位置に対応している。この状態において、ユーザによりタッチパネル６１を介して再生指示が入力されると（ステップＳ３：Ｙｅｓ）、制御部６３は、現在画像が第２画像判別パターンに合致したと判定する（ステップＳ５：Ｙｅｓ）。そのため、第２画像判別パターンに対応する第２防犯画像群に含まれる防犯画像が順次、現在画像に重複されて表示される（ステップＳ９）。具体的には、図１１及び図１２に含まれる合成画像群が順番に表示される。つまり、図１１（ａ）、図１１（ｂ）、図１１（ｃ）、図１１（ｄ）、図１１（ｅ）、図１２（ａ）、図１２（ｂ）、図１２（ｃ）、図１２（ｄ）、及び図１２（ｅ）が順番に表示される。ここで、図１１及び図１２は、長期留守宅侵入に関する防犯画像が現在画像に重複された合成画像群を示している。
【００７４】
図１１及び図１２に示される長期留守宅侵入に関する合成画像群の表示が終了すると、制御部６３は、防犯画像の表示を終了して現在画像のみをタッチパネル６１及び大型ディスプレイ１６に表示する（ステップＳ２）。また、ユーザによりタッチパネル６１を介して再生指示が再度入力されると（ステップＳ３：Ｙｅｓ）、再度、図１１及び図１２に含まれる合成画像群が表示される（ステップＳ５：Ｙｅｓ、ステップＳ９）。
【００７５】
さらにレバー１４が右側に操作されることにより、スライダ１８は、図８に示される現在画像８０Ｃが表示されるトリガ位置に到達する。第３画像判別パターンは、このトリガ位置に対応している。この状態において、ユーザによりタッチパネル６１を介して再生指示が入力されると（ステップＳ３：Ｙｅｓ）、制御部６３は、現在画像が第３画像判別パターンに合致したと判定する（ステップＳ６：Ｙｅｓ）。そのため、第３画像判別パターンに対応する第３防犯画像群に含まれる防犯画像が順次、現在画像に重複されて表示される（ステップＳ１０）。具体的には、図１３に含まれる合成画像群が順番に表示される。つまり、図１３（ａ）、図１３（ｂ）、図１３（ｃ）、図１３（ｄ）、図１３（ｅ）、及び図１３（ｆ）が順番に表示される。ここで、図１３は、物色に関する防犯画像が現在画像に重複された合成画像群を示している。
【００７６】
図１３に示される物色に関する合成画像群の表示が終了すると、制御部６３は、防犯画像の表示を終了して現在画像のみをタッチパネル６１及び大型ディスプレイ１６に表示する（ステップＳ２）。また、ユーザによりタッチパネル６１を介して再生指示が再度入力されると（ステップＳ３：Ｙｅｓ）、制御部６３は、再度、図１３に含まれる合成画像群が表示する（ステップＳ６：Ｙｅｓ、ステップＳ１０）。
【００７７】
さらにレバー１４が右側に操作されることにより、スライダ１８は、図８に示される現在画像８０Ｄが表示されるトリガ位置に到達する。第４画像判別パターンは、このトリガ位置に対応している。この状態において、ユーザによりタッチパネル６１を介して再生指示が入力されると（ステップＳ３：Ｙｅｓ）、制御部６３は、現在画像が第４画像判別パターンに合致したと判定する（ステップＳ７：Ｙｅｓ）。そのため、第４画像判別パターンに対応する第４防犯画像群に含まれる防犯画像が順次、現在画像に重複されて表示される（ステップＳ１１）。具体的には、図１４に含まれる合成画像群が順番に表示される。つまり、図１４（ａ）、図１４（ｂ）、図１４（ｃ）、図１４（ｄ）、及び図１４（ｅ）が順番に表示される。ここで、図１４は、外出確認に関する防犯画像が現在画像に重複された合成画像群を示している。
【００７８】
図１４に示される外出確認に関する合成画像群の表示が終了すると、制御部６３は、防犯画像の表示を終了して現在画像のみをタッチパネル６１及び大型ディスプレイ１６に表示する。また、ユーザによりタッチパネル６１を介して再生指示が再度入力されると（ステップＳ３：Ｙｅｓ）、制御部６３は、再度、図１４に含まれる合成画像群が表示する（ステップＳ７：Ｙｅｓ、ステップＳ１１）。
【００７９】
スライダ１８が４つのトリガ位置の全てに停止して、４つのトリガ位置にそれぞれ対応する４種の防犯画像群の表示が完了すると、防犯学習は終了する。ユーザは、レバー１４をさらに右側に移動させながら、住宅模型１１の右端部の現在画像を見ても良く、任意の位置にレバー１４を移動させて住宅模型１１の他の部分の現在画像を見てもよい。
【００８０】
［本実施形態の作用効果］
本実施形態に係る学習装置１００によれば、ユーザは住宅模型１１の前面部及び上面部を視認することができる。他方、カメラ６０が水平方向に移動しながら住宅模型１１の前面部を撮像し、カメラ６０により撮像された現在画像が大型ディスプレイ１６及びタッチパネル６１に表示される。大型ディスプレイ１６及びタッチパネル６１を見るユーザは、空から住宅模型１１の上面部を見下ろす所謂鳥の目線から住宅模型１１を視認するのではなく、地面から住宅模型１１の前面部を見る所謂泥棒の目線のみから住宅模型１１を見ることとなる。これにより、ユーザに泥棒の目線から住宅を見て泥棒の考えを想像することができる。
【００８１】
タッチパネル６１が再生指示を受け付け且つ現在画像が画像判別パターンに合致すると、大型ディスプレイ１６及びタッチパネル６１に表示されている現在画像に対して防犯画像が重ねて表示される。これにより、ユーザは、自身が想像した泥棒の考えを考慮しつつ、防犯に関する情報を学習することになる。したがって、ユーザは、鳥の目線及び泥棒の目線の双方を対比しながら効果的に住宅の防犯を学習できる。
【００８２】
また、泥棒画像及び泥棒文字情報が表示されるので、ユーザは、画像判別パターンに合致する現在画像に示される住宅の部分について、泥棒の考えを把握できる。
【００８３】
また、泥棒画像及び泥棒文字情報が表示された後に警官画像及び防犯アドバイスが表示されるので、ユーザは、画像判別パターンに合致する現在画像に示される住宅の部分について、泥棒の考えと警官の防犯アドバイスとを対比して学習できる。
【００８４】
また、泥棒を示す泥棒人形３９が前方から視認できないので、現在画像には泥棒人形３９が表示されない。ユーザは、泥棒が見えない現在画像からの視点と、泥棒が潜む住宅模型１１を上方から直接視る視点とを、対比させて把握できる。
【００８５】
また、住宅模型１１の上方に配置された大型ディスプレイ１６において、現在画像及び防犯画像が表示される。そのため、住宅模型１１を見下ろすユーザは、目線の高さを変更すること無く、大型ディスプレイ１６に表示された現在画像及び防犯画像を見ることができる。また、スライダ１８に搭載されたタッチパネル６１にも、現在画像及び防犯画像が表示される。そのため、スライダ１８を操作するユーザも、目線の高さを変更すること無く、タッチパネル６１に表示された現在画像及び防犯画像を見ることができる。これにより、身長の異なる複数人のユーザが、それぞれの目線の高さで防犯を学習することができる。
【００８６】
また、複数種の画像判別パターン及び複数種の防犯画像が記憶されているので、画像判別パターンに合致する現在画像に示される住宅の部分が複数存在している。そのため、ユーザは、住宅の複数の部分について、防犯に関する情報を学習できる。
【００８７】
また、画像判別パターンに合致する現在画像をカメラ６０が撮像するときのスライダ１８の位置を示す目印５９が設けられているので、ユーザは、防犯画像の表示が開始可能なスライダ１８の位置を把握できる。
【００８８】
また、移動体１５は、スライダ１８の水平方向の移動に連動して上下方向７に移動し、画像判別パターンに合致する現在画像をカメラ６０が撮像するときのスライダ１８の位置において、上方に移動する。そのため、ユーザは、移動体１５の上方への移動を見ることで、防犯画像が表示されるときのスライダ１８の位置を把握できる。
【００８９】
［変形例］
以上、本発明の実施の形態を詳細に説明してきたが、前述までの説明はあらゆる点において本発明の例示に過ぎない。本発明の範囲を逸脱することなく種々の改良や変形を行うことができることは言うまでもない。本実施形態に係る学習装置１００の各構成要素に関して、実施の形態に応じて、適宜、構成要素の省略、置換、及び追加が行われてもよい。また、上記学習装置１００の各構成要素の形状及び大きさも、実施の形態に応じて、適宜、設定されてよい。例えば、以下の変更が可能である。
【００９０】
本実施形態では、現在画像を表示するディスプレイとして、大型ディスプレイ１６及びタッチパネル６１が設けられている。現在画像を表示するディスプレイは、１つであってもよい。例えば、大型ディスプレイ１６及びタッチパネル６１のいずれか一方のみが設けられてもよい。なお、タッチパネル６１は、合成画像の表示手段及び再生指示の入力手段を兼用しているので、タッチパネル６１が設けられない場合は、他の入力手段、例えば押しボタン装置が設けられる。
【００９１】
本実施形態では、カメラ６０及びタッチパネル６１を備えたタブレット１３が設けられている。タブレット１３の代わりに、現在画像を撮像するカメラ６０と、再生指示の入力手段であるタッチパネル６１とが個別に設けられていてもよい。
【００９２】
本実施形態では、ユーザにトリガ位置を知覚させるために、トリガ位置を示す目印５９と、トリガ位置においてレバー１４の操作に要する力を増大させる凹面５４と、が設けられている。目印５９及び凹面５４の一方のみが設けられていてもよい。
【符号の説明】
【００９３】
１０・・・基台
１１・・・住宅模型
１５・・・移動体
１６・・・大型ディスプレイ
１７・・・レール
１８・・・スライダ
１９、１１９・・・凸部材
３１・・・塀部
３２・・・窓部
３３・・・ドア部
３４・・・ポスト部
３５・・・バルコニー部
３９・・・泥棒人形
４１・・・植栽部
４２・・・面格子部
４３・・・表札部
４４・・・ドア部
４５・・・小窓部
４６・・・窓部
４７・・・バルコニー部
４８・・・洗濯物部
５９・・・目印
６０・・・カメラ
６１・・・タッチパネル
６２・・・記憶部
６３・・・制御部
７０・・・全体画像
８０Ａ、８０Ｂ、８０Ｃ、８０Ｄ・・・現在画像
９０Ａ、９０Ｂ、９０Ｃ・・・防犯画像
９１・・・泥棒画像
９２・・・注意情報画像
９３・・・泥棒文字情報画像
９４・・・警官画像
９５・・・警官文字情報画像
１００・・・住宅防犯学習装置
【図１】
2018106037.tif 000003
【図２】
2018106037.tif 000004
【図３】
2018106037.tif 000005
【図４】
2018106037.tif 000006
【図５】
2018106037.tif 000007
【図６】
2018106037.tif 000008
【図７】
2018106037.tif 000009
【図８】
2018106037.tif 000010
【図９】
2018106037.tif 000011
【図１０】
2018106037.tif 000012
【図１１】
2018106037.tif 000013
【図１２】
2018106037.tif 000014
【図１３】
2018106037.tif 000015
【図１４】
2018106037.tif 000016